(57)【要約】【課題】特色の色再現を、高明度、高彩度で実現可能な面積階調画像形成方法、面積階調画像形成装置及びプログラムを提供する。【解決手段】少なくともシアン、マゼンタ、イエロー、ブラック、特色を含む画像データに基づいて、色が可変であるドットの集合体により階調表現されるプルーフ画像を形成する画像形成装置１において、特色からなる網点のエッジの内側及び／又は外側の１以上のドットの色を、前記特色との色差が５以上異なる色に変更する。【選択図】図９
2006005649.tif 000002
【特許請求の範囲】
【請求項１】
少なくともシアン、マゼンタ、イエロー、ブラック、特色を含む画像データに基づいて、色が可変であるドットの集合体により階調表現される面積階調画像を形成する面積階調画像形成方法において、
前記特色からなる網点のエッジの内側及び／又は外側の１以上のドットの色を、前記特色との色差が５以上異なる色に変更することを特徴とする面積階調画像形成方法。
【請求項２】
少なくともシアン、マゼンタ、イエロー、ブラック、特色を含む画像データに基づいて、色が可変であるドットの集合体により階調表現される面積階調画像を形成する面積階調画像形成方法において、
前記特色からなる網点のエッジの内側及び／又は外側の１以上のドットの色を、前記特色の補色に変更することを特徴とする面積階調画像形成方法。
【請求項３】
請求項１又は２に記載の面積階調画像形成方法において、
前記網点のエッジの内側及び／又は外側の１以上のドットの領域の幅は、１０μｍ〜５０μｍであることを特徴とする面積階調画像形成方法。
【請求項４】
少なくともシアン、マゼンタ、イエロー、ブラック、特色を含む画像データに基づいて、色が可変であるドットの集合体により階調表現される面積階調画像を形成する面積階調画像形成装置において、
前記特色からなる網点のエッジの内側及び／又は外側の１以上のドットの色を、前記特色との色差が５以上異なる色に変更する変更手段を備えることを特徴とする面積階調画像形成装置。
【請求項５】
少なくともシアン、マゼンタ、イエロー、ブラック、特色を含む画像データに基づいて、色が可変であるドットの集合体により階調表現される面積階調画像を形成する面積階調画像形成装置において、
前記特色からなる網点のエッジの内側及び／又は外側の１以上のドットの色を、前記特色の補色に変更する変更手段を備えることを特徴とする面積階調画像形成装置。
【請求項６】
少なくともシアン、マゼンタ、イエロー、ブラック、特色を含む画像データに基づいて、色が可変であるドットの集合体により階調表現される面積階調画像を形成するコンピュータに、
前記特色からなる網点のエッジの内側及び／又は外側の１以上のドットの色を、前記特色との色差が５以上異なる色に変更する機能を実現させるためのプログラム。
【請求項７】
少なくともシアン、マゼンタ、イエロー、ブラック、特色を含む画像データに基づいて、色が可変であるドットの集合体により階調表現される面積階調画像を形成するコンピュータに、
前記特色からなる網点のエッジの内側及び／又は外側の１以上のドットの色を、前記特色の補色に変更する機能を実現させるためのプログラム。
【発明の詳細な説明】
【技術分野】
【０００１】
本発明は、面積階調画像形成方法、面積階調画像形成装置及びプログラムに関する。
【背景技術】
【０００２】
近年、原画像を面積階調化し、取得された面積階調画像を構成する網点を形成するドット（画素）を、Ｙ（イエロー）、Ｍ（マゼンタ）、Ｃ（シアン）、Ｋ（ブラック（墨））の各色に分解した後に、ハロゲン化銀感光材料を、Ｒ（赤）、Ｇ（緑）、Ｂ（青）のビームで露光し、各画素の発色濃度を再現して画像を形成するＤＣＰ（Digital  Color  Proof）が広く用いられている。この方法によると、プルーフ画像を、ＣＭＹ（Ｋ）毎の刷版を作成することなく、短時間で、容易に取得することができ、画質が安定しているため非常に有用なプルーフ画像作成方法として用いられている。
この方式によれば、Ｒ、Ｇ、Ｂ光の強度を変化することによって任意の色調を作り出せるため、種々の特色画像も簡便に出力することが可能であった（例えば、特許文献１参照）。
【特許文献１】特開平５−６６５５７号公報
【発明の開示】
【発明が解決しようとする課題】
【０００３】
上述したように、ハロゲン化銀感光材料を用いたプルーフの最大の特徴は、ＹＭＣ各色素の発色量を調整することによって任意の発色濃度（色調）を作り出せる点にある。しかし、特許文献１に記載の発明の場合、印刷インクに比べて色材の分光吸収がブロードであることから、高明度、高彩度の色、特に金属光沢を備える色や蛍光色などの再現に大きなギャップがあった。
【０００４】
本発明の課題は、特色の色再現を、高明度、高彩度で実現可能な面積階調画像形成方法、面積階調画像形成装置及びプログラムを提供することである。
【課題を解決するための手段】
【０００５】
以上の課題を解決すべく、請求項１に記載の発明は、少なくともシアン、マゼンタ、イエロー、ブラック、特色を含む画像データに基づいて、色が可変であるドットの集合体により階調表現される面積階調画像を形成する面積階調画像形成方法において、前記特色からなる網点のエッジの内側及び／又は外側の１以上のドットの色を、前記特色との色差が５以上異なる色に変更することを特徴とする。
【０００６】
請求項２に記載の発明は、少なくともシアン、マゼンタ、イエロー、ブラック、特色を含む画像データに基づいて、色が可変であるドットの集合体により階調表現される面積階調画像を形成する面積階調画像形成方法において、前記特色からなる網点のエッジの内側及び／又は外側の１以上のドットの色を、前記特色の補色に変更することを特徴とする。
【０００７】
請求項３に記載の発明は、請求項１又は２に記載の面積階調画像形成方法において、前記網点のエッジの内側及び／又は外側の１以上のドットの領域の幅は、１０μｍ〜５０μｍであることを特徴とする。
【０００８】
請求項４に記載の発明は、少なくともシアン、マゼンタ、イエロー、ブラック、特色を含む画像データに基づいて、色が可変であるドットの集合体により階調表現される面積階調画像を形成する面積階調画像形成装置において、前記特色からなる網点のエッジの内側及び／又は外側の１以上のドットの色を、前記特色との色差が５以上異なる色に変更する変更手段を備えることを特徴とする。
【０００９】
請求項５に記載の発明は、少なくともシアン、マゼンタ、イエロー、ブラック、特色を含む画像データに基づいて、色が可変であるドットの集合体により階調表現される面積階調画像を形成する面積階調画像形成装置において、前記特色からなる網点のエッジの内側及び／又は外側の１以上のドットの色を、前記特色の補色に変更する変更手段を備えることを特徴とする。
【００１０】
請求項６に記載の発明は、少なくともシアン、マゼンタ、イエロー、ブラック、特色を含む画像データに基づいて、色が可変であるドットの集合体により階調表現される面積階調画像を形成するコンピュータに、前記特色からなる網点のエッジの内側及び／又は外側の１以上のドットの色を、前記特色との色差が５以上異なる色に変更する機能を実現させることを特徴とする。
【００１１】
請求項７に記載の発明は、少なくともシアン、マゼンタ、イエロー、ブラック、特色を含む画像データに基づいて、色が可変であるドットの集合体により階調表現される面積階調画像を形成するコンピュータに、前記特色からなる網点のエッジの内側及び／又は外側の１以上のドットの色を、前記特色の補色に変更する機能を実現させることを特徴とする。
【発明の効果】
【００１２】
請求項１、４及び６に記載の発明によると、特色からなる網点のエッジの色が、特色の色に対して、色差が５以上異なる色に変更されるので、網点部分の色の視覚的な効果が変化することとなって、特色の色再現を、高明度、高彩度で実現することができる。
この色差を変化させる方法は、前記特色の種類によって選択することができ、ここにいう色差は、ＣＩＥＬＡＢ色空間における色差を意味する。
前記特色が、メトリッククロマが５以下の色である場合、色差の変更は主に明度差によることが好ましく、このようにすることで特色の明るさを強調する視覚効果を得ることができる。
【００１３】
請求項２、５及び７に記載の発明によると、特色からなる網点のエッジの色が、特色の補色に変更されることとなるので、網点部分の色の視覚的な効果が変化し、特色の色再現を高明度、高彩度で実現することができる。特に、該特色が、メトリッククロマが１０以上の色の場合には、特色の鮮やかさを強調することができる。
ここにいう補色とは、一般に言われるものと同義であるが、特色に対してメトリック色相角の差の絶対値が１３０〜２３０°であることが好ましく、１５０〜２１０°であることがより好ましい。特色の明度が高い場合は、メトリック明度の差をつけることが好ましく、その他の場合にはメトリッククロマの差をつけることが好ましい。
【００１４】
請求項３に記載の発明によると、網点と異なる色によって形成される領域の幅、即ち、縁取りの領域が１０μｍ〜５０μｍであることとなるので、網点全体の色調に大きな影響を与えることなく、異なる視覚効果を得ることができる。
ここで、本発明の網点のエッジでのドットの色の変化は、網点の全周にわたって行われてもよいし、適当な比率で行われてもよい。また、網％が０〜１００％のすべての領域で行われてもよいし、一部の領域で行われてもよい。
網％が１０％以下の領域では、相対的にエッジの領域の比率が高まるため本来の特色の色からの乖離が大きくなり、また、特色の効果も小さい領域であるため、これらの領域ではエッジに存在するドットのうち、一部のドットの色を変えるにとどめることが好ましい。また、これらの領域ではエッジに存在するドットの色を変えなくともよい。網％が大きくなると隣接する網点同士がくっつき、ヌケ部分との境界領域は小さくなるが、ここにいうエッジとは、画素としての網点のエッジをいい、ヌケ部との境界だけを意味するものではない。
【発明を実施するための最良の形態】
【００１５】
＜実施形態１＞
以下に、本発明の実施形態１を、図面を参照しながら詳細に説明する。ただし、発明の範囲は図示例に限られない。
図１は、本発明を適用した好適な実施の形態として例示する画像形成装置の要部構成を示すブロック図である。
【００１６】
本実施の形態の画像形成装置１は、Ｃ（シアン）、Ｍ（マゼンタ）、Ｙ（イエロー）、Ｋ（ブラック（墨））、特色を含む画像データに基づいて、色が可変であるドットの集合体により階調表現される面積階調画像を形成するプルーフ画像（面積階調画像）を形成するプルーフ画像形成装置を構成するものであって、図１に示すように、プルーフ画像に係る原画像を入力する画像入力部２と、ＣＰＵ（Central Processing Unit）３、ＲＡＭ（Random Access Memory）４と、ＲＯＭ（Read Only Memory）５、入力された原画像データより、面積階調画像データを作成するＲＩＰ（Raster Image Processor）６、プルーフ画像を出力する画像出力部７、等を備えている。
また、画像入力部２、ＣＰＵ３、ＲＡＭ４、ＲＯＭ５、ＲＩＰ６、画像出力部７は、それぞれバス１０により接続されている。
【００１７】
画像入力部２は、外部から画像を読取るための画像読取部２１を備える。画像読取部２１としては、例えば、原画像から原画像データを読取る情報読取手段としての、所謂、スキャナを備える。即ち、画像入力部２は、例えば、図示しない光源、レンズ、ＣＣＤ（Charge Coupled Device）、Ａ／Ｄ変換部等を備え、原画像に対して光源から照明走査して、この反射光をＣＣＤにより読取ってアナログ信号に変換し、このアナログ信号をＡ／Ｄ変換部にてデジタル信号に変換することにより、原画像データを取得する。
原画像データは、カラー写真などのようにスキャナで読取られるものではなく、ハードディスク上に蓄積された画像データであってもよいし、デジタルカメラのメモリーデバイス上の画像データであってもよい。
ここで、画像入力部２は、当該画像形成装置１に対して原画像データを入力するものとし、原画像データの形態に応じて種々のインターフェースを含んで構成される。例えば、所定の外部機器から送信された原画像データを受信するためのＵＳＢ（Universal Serial Bus）や無線ＬＡＮ等のインターフェースを備えて構成されていてもよい。
【００１８】
ＣＰＵ３は、当該画像形成装置１を構成する各部を統括して制御するものであり、ＲＯＭ５に格納されている所定のプログラムを読み出してＲＡＭ４の作業領域に展開し、当該プログラムに従って各種処理を実行する。具体的には、ＣＰＵ３は、所定の制御プログラムを実行して、画像入力部２を介して入力された画像データに基づいて、画像出力部７からプルーフ画像を出力する画像出力処理を行う。
ＲＡＭ４は、ＣＰＵ３により実行される各種処理において、プログラムやデータ等を一時的に記憶する記憶領域、プログラムを実行するための作業領域などを形成する。
ＲＯＭ５は、本発明の動作の実行に必要な各種アプリケーションソフト、プログラム等を格納しており、具体的には、例えば、図１に示すように、特色色調取得プログラム５１、縁取り方法決定プログラム５２、色決定プログラム５３、特色網点エッジ検出プログラム５４、画素別画像データ修正プログラム５５、色特性情報取得プログラム５６、色判別テーブル（以下、「色判別ＴＢＬ」という。）５７、カラーコレクションテーブル（以下、「カラーコレクションＴＢＬ」という。）５８、材料特性テーブル（以下、「材料特性ＴＢＬ」という。）５９、等を格納する。
【００１９】
特色色調取得プログラム５１は、カラーコレクションＴＢＬ５８（例えば、図５参照）から特色の色調に関する情報を読み出すプログラムであって、ＣＰＵ３は、該特色色調取得プログラム５１を実行することによって、特色色調取得手段として機能する。特色の色調に係る情報は、画素別画像データの修正に必要な情報としてＲＡＭ４に記憶される。
特色の色調に関する情報は、キーボード、タッチパネルなどの図示されない入力装置によって指定されてもよい。
【００２０】
縁取り方法決定プログラム５２は、縁取りを網点の内側のエッジに行うのか、もしくは外側のエッジに行うのか、また、エッジに存在するドットの全ての色調を変更するのか、もしくは予め決められた所定の確率に応じて変更するのかといった縁取りの方法を決定するためのプログラムであって、ＣＰＵ３は、縁取り方法決定プログラム５２を実行することによって、縁取り方法決定手段として機能する。具体的には、例えば、前述した縁取り方法の中から予め任意の方法を選択することにより決定する。縁取り方法が決定されると、画素別画像データの修正に必要な情報として、ＲＡＭ４に記憶される。
【００２１】
色決定プログラム５３は、ＲＡＭ４に記憶された特色の色調に係る情報に基づいて、縁取りを目的として修正した後の画素の色（以下、「修正後の画素の色」という。）を決定するためのプログラムであって、ＣＰＵ３は、該色決定プログラム５３を実行することによって、色決定手段として機能する。
このとき、修正すべき色を、キーボード、タッチパネルなどの図示しない入力装置によって指定してもよいし、予め設定された条件に基づいて計算してもよい。
予め設定された条件としては、例えば、１）特色に対して色差が５以上の色、２）特色が、メトリッククロマが５以下であって、メトリック明度が５０以上の色である場合には、メトリック明度が１０低い色、３）特色が、メトリッククロマが２０以上の色である場合には、メトリック色相角の差が１５０〜２１０°であって、メトリッククロマが２０の色、といった条件などを用いることができる。
修正後の画素の色は、画素別画像データの修正に必要な情報としてＲＡＭ４に記憶される。この情報を基に、カラーコレクションＴＢＬ５８を書き換えてもよい。
【００２２】
特色網点エッジ検出プログラム５４は、画素別画像データ（例えば、図４参照）に基づいて、読み出された画素が網点のエッジにあたるか否かを判別するためのプログラムであって、ＣＰＵ３は、該特色網点エッジ検出プログラム５４を実行することによって、特色網点エッジ検出手段として機能する。
読み出された画素自身が網点のエッジに当たる場合であって、該画素自身が網点部分にある場合は、網点の内側のエッジであり、ヌケ部にあたる場合は、外側のエッジとなる。
【００２３】
画素別画像データ修正プログラム５５は、特色網点のエッジの内側及び／又は外側の１以上のドットの色を変更するためのプログラムであって、ＣＰＵ３は該画素別画像データ修正プログラム５５を実行することによって、画素別画像データ修正手段として機能する。
本実施の形態においては、特色網点のエッジの内側の１のドットの色を変更することとし、具体的には、ＣＰＵ３は、縁取り方法決定プログラム５２によって得られた情報（縁取り方法に係る情報）から、該当する画素が色調を変更する画素か否かを判定し、色調を変更する場合には、色決定プログラム５３によって得られた情報（修正後の画素の色に係る情報）から、縁取りの色を、修正後の画素の色に置き換えることによって新たな画素別画像データを作成し、目的とするドットの色を変更する。
以上説明した、特色色調取得手段、縁取り方法決定手段、色決定手段、特色網点エッジ検出手段、画素別画像データ修正手段によって変更手段が形成される。
【００２４】
ここで、特色網点のエッジ近傍のドットの色を変更することによる視覚的な効果について説明する。
画像のエッジ部分において高濃度側で若干濃度を高め、低濃度側で若干濃度を低めることにより濃度差が拡大したように認識されることが知られている、同様に補色を並べることにより両方の色が強調されたり、明るい色を黒で縁取りすることにより明るさが強調されることが知られている。
ハロゲン化銀感光材料を用いたプルーフシステムのように、印刷とは異なり、分光吸収特性として蛍光色の正確な再現が不可能なシステムにおいても、特色網点のエッジのドットの色を適切に変更することによって、擬似的にこれらに近い視覚効果が得られ、高明度、高彩度な色を再現することができるものと思われる。
【００２５】
ここで、色を変えるドットの領域としては、その幅を１０μｍ〜１００μｍとすることが好ましく、１０μｍ〜５０μｍとすることがより好ましい。色を変えるドットの領域を広く取り過ぎるとその影響が無視できなくなり、測色値としてのずれも大きくなってしまい、好ましくないからである。
【００２６】
色特性情報取得プログラム５６は、変更された画素別画像データと、カラーコレクションＴＢＬ５８より、画素別画像データに規定された画素の色に応じた各画素の色濃度データ（例えば、図６参照）を取得するためのプログラムであって、ＣＰＵ３は、該色特性情報取得プログラム５６を実行することによって、色特性情報取得手段として機能する。取得された色濃度データは、ＲＡＭ４に記憶される。
【００２７】
色判別ＴＢＬ５７（例えば、図３参照）には、網点を構成する画素（ドット）における画像データの、Ｙ（イエロー）、Ｍ（マゼンタ）、Ｃ（シアン）、Ｋ（黒）、特色の色成分毎の発色状態と、該発色状態における画素の色とが対応付けられている。ＣＰＵ３は、画像データ（例えば、図２参照）と、該色判別ＴＢＬ５７より、各画素の色である、画素別画像データを取得する。取得された画素別画像データは、ＲＡＭ４に記憶される。
【００２８】
カラーコレクションＴＢＬ５８には、画素の色と、ハロゲン化銀感光材料に応じた画像形成条件に係るＹ成分、Ｍ成分及びＣ成分のアナリティカル濃度に係る色濃度データとが対応付けられている。カラーコレクションＴＢＬ５８中の各数値は、濃度に応じてコード化されて規定されたものである。
【００２９】
材料特性ＴＢＬ５９（例えば、図７参照）は、色濃度データとしての、各画素を構成するＹ、Ｍ、Ｃの色成分のアナリティカル濃度と露光量とが対応付けられている。ＣＰＵ３は、該材料特性ＴＢＬ５９と、色濃度データより、各画素における、各感光層への露光量データ（例えば、図８参照）を取得する。
【００３０】
ＲＩＰ６は、画像形成装置１に入力された原画像データをスクリーニングすることによりラスタ変換を行い、面積階調画像データ（画像データ）を作成する。即ち、ＲＩＰ６は、面積階調画像データ作成手段として機能する。
【００３１】
画像出力部７は、露光部７１を備える。露光部７１によってハロゲン化銀感光材料を露光して、当該ハロゲン化銀感光材料上にプルーフ画像に係る潜像を形成させる。該露光部７１はＣＰＵ３によって制御される。
【００３２】
次に、画像形成装置１による面積階調画像作成動作の一例を図９に示すフローチャートを用いて説明する。
【００３３】
先ず、画像入力部２が備える画像読取り部２１によって原画像の読取りが行なわれる（ステップＳ１）。次いで、読取られた原画像データがＲＩＰ６に出力され、面積階調化処理が施されることにより、面積階調画像データ（画像データ）が取得される（ステップＳ２）。
【００３４】
次いで、ＣＰＵ３は、特色色調取得プログラム５１に従ってカラーコレクションＴＢＬ５８を読出し、該カラーコレクションＴＢＬ５８より特色の色調に関する情報を取得する（ステップＳ３；特色色調取得工程）。ＣＰＵ３は、取得した特色の色調に関する情報をＲＡＭ４に記憶する。
さらに、ＣＰＵ３は、縁取り方法決定プログラム５２を実行することによって、縁取りの方法を決定する（ステップＳ４；縁取り方法決定工程）。ＣＰＵ３は、取得した縁取り方法に関する情報をＲＡＭ４に記憶する。
そして、ＣＰＵ３は、ＲＡＭ４に記憶される特色の色調に関する情報に基づいて、色決定プログラム５４を実行することにより、修正後の画素の色を決定する（ステップＳ５；色決定工程）。ＣＰＵ３は、修正後の画素の色に係る情報をＲＡＭ４に記憶する。
【００３５】
ステップＳ２で、Ｙ画像データ、Ｍ画像データ、Ｃ画像データ、Ｋ画像データ、特色画像データに分解して作成された面積階調画像データを用いて、ＣＰＵ３はＲＯＭ４から色判別ＴＢＬ５７を読み出してＲＡＭ４の所定の作業領域に展開し、この展開された色判別ＴＢＬ５７を参照することにより、上記の各色成分に分解された画像データに対応する画素の色を判別する。そして全ての画素について色の判別を行うことにより、各画素と、その色とが対応付けられた画素別画像データを生成する（ステップＳ６）。ＣＰＵ３は、取得した画素別画像データをＲＡＭ４に記憶する。
【００３６】
ステップＳ７では、ＣＰＵ３は、画素別画像データに基づいて、特色網点エッジ検出プログラム５４を実行することにより、画素ごとに読み出した画素別画像データの画素が、特色の網点のエッジにあたるか否かを判別する（ステップＳ７；特色網点エッジ検出工程）。ＣＰＵ３が、特色の網点のエッジにあたると判断すると（ステップＳ７；Ｙｅｓ）、ステップＳ４で取得され、ＲＡＭ４に記憶された、縁取り方法に関する情報に基づいてドットの色調を変更する範囲を決定する。さらに、ＣＰＵ３は、ステップＳ５で取得され、ＲＡＭ４に記憶された修正後の画素の色に係る情報に基づいて画素別画像データ修正プログラム５５を実行することによって、画素の色を変更後の画素の色に置き換えて画素別画像データの修正を実行する（ステップＳ８；画素別画像データ修正工程）。
【００３７】
次いで、ＣＰＵ３は、全ての画素が選択されたか否かを判断し、全ての画素が選択済みだと判断すると（ステップＳ９；Ｙｅｓ）、色特性情報取得プログラム５６を読み出し、ＲＡＭ４の所定の作業領域に展開し、この展開された色特性情報取得プログラム５６に従って、カラーコレクションＴＢＬ５８を読み出し、該カラーコレクションＴＢＬ５８より、修正された画素別画像データに規定された画素の色に応じた色濃度データを取得し、ＲＡＭ４に記憶する（ステップＳ１０；色特性情報取得工程）。また、ステップＳ７にて、ＣＰＵ３が、特色のエッジ画素ではないと判断した場合には（ステップＳ７；Ｎｏ）、画素別画像データの修正は行われず、ステップＳ９に進んで、全ての画素が選択されたか否かの判断が実行される。
【００３８】
ＣＰＵ３が、全ての画素が選択されていないと判断すると（ステップＳ９；Ｎｏ）、再びステップＳ６に戻って、画素別画像データの画素が取得され、ＣＰＵ３が、特色のエッジ画像であるか否かの判断を行い、ステップ８またはステップＳ９の処理を実行する。
【００３９】
ステップＳ１０にて、色濃度データが取得されると、ＣＰＵ３は、ハロゲン化銀感光材料の画素毎のＹ、Ｍ、Ｃの各感光層に対して付与される露光量を設定する処理を実行する（ステップＳ１１）。具体的には、ＣＰＵ３は、ＲＯＭ５から露光量設定プログラム（図示省略）を読み出してＲＡＭ４に展開し、材料特性ＴＢＬ５９を読み出し、この材料特性ＴＢＬ５９から、ステップＳ１０にて取得された画素毎の色濃度データに対応する各感光層の露光量のレベルを取得する。このＣＰＵ３の制御下における露光量の設定は、画素毎にその画素番号に従って行われ、全ての画素について露光量の設定が行われることにより、各画素とそのＹ、Ｍ、Ｃの感光層の露光量とが対応付けられた画素毎の露光量データが生成される。
【００４０】
次に、ＣＰＵ３は、画像出力部７に対して、生成された画素毎の露光量データを転送して（ステップＳ１２）、この画素毎の露光量データに従って、画像出力部７の露光部７１を制御することにより、露光部７１にてハロゲン化銀感光材料を露光し、当該ハロゲン化銀感光材料上にプルーフ画像に係る潜像を形成し、さらに、潜像が形成されたハロゲン化銀感光材料を現像処理部（図示省略）にて現像処理を行って、プルーフ画像を形成する（ステップＳ１３）。
【００４１】
以上に説明した実施形態１の画像形成装置１によると、特色からなる網点のエッジの色が、特色の色に対して色差が５以上異なる色に変更されるので、網点部分の色の視覚的な効果が変化する。即ち、特色の明るさや鮮やかさを強調する視覚効果を得ることができる。
また、網点と異なる色によって形成される領域の幅、即ち、縁取りの領域が１０〜５０μｍであることとなるので、縁取りの影響を無視することができ、また測定値としてのずれも小さく留めることができると同時に、網点全体の色調に大きな影響を与え得る、異なる視覚効果の変化を得ることができる。
【００４２】
＜実施形態２＞
以下に、実施形態２に係る画像形成装置１００について説明する。画像形成装置１００は、ＲＯＭ５に格納されるプログラムが、実施形態１に係る画像形成装置１と異なる。従って、実施形態２を説明するにあたり、上記実施形態１と同様の構成については、同一の符号を付し、説明は省略する。
【００４３】
図１０に示すように、実施形態２である画像形成装置１００におけるＲＯＭ１０５には、実施形態１に係るＲＯＭ５における、色決定プログラム５３に代えて、補色決定プログラム１５３が格納されてなる。
補色決定プログラム１５３は、特色色調取得プログラム５１によって取得された特色色調に係る情報に基づいて、色相環シート（図示省略）を用いて、該特色網点が備える特色の補色を決定するためのプログラムである。ＣＰＵ３は、該補色決定プログラム１５３を実行することによって、補色決定手段として機能する。
【００４４】
以下に、画像形成装置１００による面積階調画像作成動作の一例を図１１に示すフローチャートを用いて説明する。
【００４５】
実施形態１と同様に、原画像が読取られ（ステップＳ１４）、ＲＩＰ６によって面積階調化処理され、面積階調画像データが取得される。（ステップＳ１５）。
ＣＰＵ３は、特色色調データを取得し（ステップＳ１６）、縁取り方法を決定し（ステップＳ１７）、ステップＳ１６で取得した特色色調データに基づいて、補色決定プログラム１５３を実行することによって、補色を決定する（ステップＳ１８；補色決定工程）。ＣＰＵ３は、縁取り方法および補色に係る情報をＲＡＭ４に記憶する。
次いで、ＣＰＵ３は、画素別画像データを取得し（ステップＳ１９）、特色のエッジ画像であるか否かを判断し（ステップＳ２０）、エッジ画像である場合には（ステップＳ２０；Ｙｅｓ）、ステップＳ１７で取得した縁取り方法およびステップＳ１８で取得した補色に基づいて、画素別画像データ修正プログラム５５を実行することにより画素別画像データの修正を行う（ステップＳ２１）。
以下、ステップＳ２２〜ステップＳ２６までの各ステップは、実施形態１におけるステップＳ９〜ステップＳ１３までの各ステップに対応するため、省略する。
【００４６】
以上に説明した、実施形態２の画像形成装置１００によると、特色網点の色の補色を用いて、網点のエッジの色を変えることによっても、前述した縁取りの効果を得ることができ、これにより、特色の色再現性を向上することができる。
次に、上記に説明した本発明の実施例を、比較例とともに説明する。
【００４７】
[実施例１〜１４]
［試料の調製］
まず、特開２００２−３４１４７０号公報の実施例１に記載のハロゲン化銀感光材料Ｎｏ．１０１を作成した。
次に、以下のような露光部と現像部をもつ画像形成装置を準備した。露光部は、光源としてＢ（青）のＬＥＤ（Light Emitting Diode）を主走査方向に１０個並べ露光のタイミングを少しずつ遅延させることによって同じ場所を１０個のＬＥＤで露光できるように調整した。また、副走査方向にも１０個のＬＥＤを並べ隣接する１０画素分の露光が一度にできる露光ヘッドを準備した。Ｇ（緑）、Ｒ（赤）も同様にＬＥＤを組み合わせて露光ヘッドを準備した。各ビームの径は約１０μｍで、この間隔でビームを配列し、副走査のピッチは約１００μｍとした。１画素あたりの露光時間は約１００ナノ秒であった。
露光後のハロゲン化銀感光材料は、前記公報実施例１に記載の現像処理を行うように現像部を準備した。
【００４８】
画像として、１００×１００ｍｍのパッチとして、網％が３０％の平網を準備し、該画像のベタの色調をＬ*＝５３．５、ａ*＝４．３、ｂ*＝３８．７とした試料を基準試料として用いた。基準試料における画像の網点の外側のドットにおいて、表１に示す縁取り色が再現するように設定して、試料を作成した（実施例１〜５；試料Ｎｏ．１〜Ｎｏ．５）。ベタの色調は金をイメージした色として、試料Ｎｏ．１及び試料Ｎｏ．２については、縁取りの色として補色を用いた。
次いで、１００×１００ｍｍのパッチとして、同様に網点％が３０％の平網を準備し、ベタの色調をＬ*＝５７．１、ａ*＝−２．２、ｂ*＝４．２とした。これを基準試料として、表１に示す縁取り色が再現するように設定して、試料を作成した（実施例６〜９；試料Ｎｏ．６〜Ｎｏ．９）。ベタの色調は銀をイメージした色とした。特に、試料Ｎｏ．６および試料Ｎｏ．８については、縁取り色として補色を用いた。
さらに、試料Ｎｏ．１〜Ｎｏ．５の作成に用いた基準試料と同様の試料（１００×１００ｍｍのパッチとして、網％が３０％の平網であって、ベタの色調をＬ*＝５３．５、ａ*＝４．３、ｂ*＝３８．７とした画像）を基準試料として、網点の外側のドットにおいて表１に示す縁取り色が再現するように設定し、縁取りを１ドットとした場合（実施例１０；試料Ｎｏ．１０）、３ドットとした場合（実施例１１；試料Ｎｏ．１１）、４ドットとした場合（実施例１２；試料Ｎｏ．１２）、５ドットとした場合（実施例１３；試料Ｎｏ．１３）及び、６ドットとした場合（実施例１４；試料Ｎｏ．１４）の試料を作成した。ベタ色調は金をイメージした色とした。
【００４９】
試料Ｎｏ．１〜Ｎｏ．１４について、１０人の被験者による評価を行った。評価内容は、各試料の作成の際に用いた基準試料と比較して、同等であるものを１、差が認められるものを２、特色（金色／銀色）の感じが強調されているものを３とした。
結果を表１に示した。ここで、△Ｅは基準試料と各試料との色差であって、△ｈは基準試料と各試料との色相差である。
【００５０】
[比較例１〜４]
[試料の調製]
次いで、試料Ｎｏ.１〜Ｎｏ．５を作成する際の基準試料とした画像（１００×１００ｍｍのパッチであって、網％が３０％、ベタの色調をＬ*＝５３．５、ａ*＝４．３、ｂ*＝３８．７とした画像；この色は金をイメージした色であり、下記表１の中で「Ｇ」と表記した）を試料として準備した（比較例１；試料Ｎｏ．１５）。そして、試料Ｎｏ．１５の網点の外側のドットにおいて、表１に示す縁取り色が再現するように設定し、試料を作成した（比較例２；試料Ｎｏ．１６）。
さらに、試料Ｎｏ．６〜Ｎｏ．９を作成する際の基準試料とした画像（１００×１００ｍｍのパッチであって、網％が３０％、ベタの色調をＬ*＝５７．１、ａ*＝−２．２、ｂ*＝４．２とした画像；この色は銀をイメージした色であり、下記表１の中で「Ｓ」と表記した）を試料として準備した（比較例３；試料Ｎｏ．１７）。そして、試料Ｎｏ．１７の網点の外側のドットにおいて、表１に示す縁取り色が再現するよう設定して、試料を作成した（比較例４；試料Ｎｏ．１８）。
【００５１】
試料Ｎｏ．１６、Ｎｏ．１８について、１０人の被験者による評価を行った。評価内容は、試料Ｎｏ．１６は試料Ｎｏ．１５と比較して、試料Ｎｏ．１８は試料Ｎｏ．１７と比較して、同等であるものを１、差が認められるものを２、特色（金色／銀色）の感じが強調されているものを３とした。結果を表１に示した。
【表１】
2006005649.tif 000003
【００５２】
次いで、各結果について評価を行った。
[評価]
[金色特色]
基準試料である試料Ｎｏ．１５と比較して、その色差が２．６しかない試料Ｎｏ．１６は、試料Ｎｏ．１５との差がほとんど確認されなかった。しかし、色差が５以上あるドットで縁取った試料（試料Ｎｏ．１〜Ｎｏ．５）ではいずれも本発明の効果が認められた。
中でも、補色で縁取った試料Ｎｏ．１及び試料Ｎｏ．２は優位な効果が認められた。試料Ｎｏ．４と試料Ｎｏ．５とでは、色差としての差は小さいが、色相差の大きい試料Ｎｏ．４の方が、評価点が高いことが確認された。
即ち、メトリッククロマの大きい色では、色相に差をつけることが好ましく、特に補色にすることが好ましい態様であることが分かった。
【００５３】
[銀色特色]
基準試料である試料Ｎｏ．１７と比較して、その色差が２．９しかない試料Ｎｏ．１８は、試料Ｎｏ．１７との差がほとんど認められなかったが、色差が５以上の試料（Ｎｏ．６〜９）ではいずれも本発明の効果が得られることが確かめられた。縁取り色として補色になる色を用いた場合には、若干効果が高くなる傾向がみられるが、その効果は僅かであり、メトリッククロマの小さい色では明度を変化させることが効果的であることが分かった。
【００５４】
[縁取り幅]
縁取りに用いるドットを、３ドット（試料Ｎｏ．１１）、４ドット（試料Ｎｏ．１２）及び５ドット（試料Ｎｏ．１３）にしたものでは、１ドットの場合（試料Ｎｏ．１０）に比較して、評価値の向上が確認されたが、６ドットの場合（試料Ｎｏ．１４）には、色調への影響が見られ、金色の感じを強調するという効果が薄れていることが分かった。
【図面の簡単な説明】
【００５５】
【図１】本発明の実施形態１における画像形成装置１の概略構成を示すブロック図である。
【図２】網点を構成する画像データを色成分毎に模式的に示した図である。
【図３】色判別ＴＢＬを模式的に示した図である。
【図４】画素別画像データを示す図である。
【図５】カラーコレクションＴＢＬを模式的に示した図である。
【図６】色濃度データを示す図である。
【図７】材料特性ＴＢＬを模式的に示した図である。
【図８】画素毎の露光量データを示した図である。
【図９】画像形成装置１が行うプルーフ画像形成処理を示すフローチャートである。
【図１０】本発明の実施形態２における画像形成装置１００の概略構成を示すブロック図である。
【図１１】画像形成装置１００が行うプルーフ画像形成処理を示すフローチャートである。
【符号の説明】
【００５６】
１、１００  画像形成装置
２  画像入力部
３  ＣＰＵ（特色色調取得手段、縁取り方法決定手段、色決定手段、補色決定手段、特色網点エッジ検出手段、画素別画像データ修正手段、色特性情報取得手段）
４  ＲＡＭ
５、１０５  ＲＯＭ
６  ＲＩＰ
７  画像出力部
【図１】
2006005649.tif 000004
【図２】
2006005649.tif 000005
【図３】
2006005649.tif 000006
【図４】
2006005649.tif 000007
【図５】
2006005649.tif 000008
【図６】
2006005649.tif 000009
【図７】
2006005649.tif 000010
【図８】
2006005649.tif 000011
【図９】
2006005649.tif 000012
【図１０】
2006005649.tif 000013
【図１１】
2006005649.tif 000014